(57)【要約】      （修正有）【課題】断熱工法を採用する建築物の屋根における防水下地の防水構造において、断熱材の上に配置された固定用ディスクを充分に固定できる機械的固定方法を提供する。【解決手段】機械的固定方法は、断熱材２を貫通する補強材４を下地１の上に設け、補強材４の上に配置された固定用ディスク５の上から補強材４に対して固定用ビス６を打つことで、固定用ディスク５を補強材４に固定し、この固定用ディスク５により固定される防水シート３を備え、補強材４は天板部とこれに連結された支持脚部を備える構成とする。【選択図】図１
2014001529.tif 000002
【特許請求の範囲】
【請求項１】
防水下地の上に敷設される断熱材と、
前記断熱材に差し込まれるように前記防水下地の上に配置される補強材と、
前記補強材の上に配置される固定用ディスクと、
前記固定用ディスクの上から前記補強材を貫通して前記防水下地に打ち込まれる固定用ビスと、
前記固定用ディスクにより前記断熱材の上に固定される防水シートとを備え、
前記補強材は天板部と前記天板部に連結された        支持脚部とを有する防水シート固定構造。
【請求項２】
前記固定用ビスは前記補強材の前記天板部で水平方向の可動を規制されるように前記天板部を貫通している請求項１に記載の防水シート固定構造。
【請求項３】
前記固定用ビスが前記補強材の前記天板部で固定されている請求項１または請求項２のいずれか１項に記載の防水シート固定構造。
【請求項４】
前記断熱材に切り込み部が設けられ前記切り込み部に前記補強材が差し込まれている請求項１から請求項３のいずれか１項に記載の防水シート固定構造。
【請求項５】
前記防水シートが前記断熱材の上に敷設され、前記防水シートの上に前記固定用ディスクが配置され、前記固定用ビスが前記固定用ディスクの上から前記天板部に打ち込まれる請求項１から請求項４のいずれか１項に記載の防水シート固定構造。
【請求項６】
前記防水シートが前記固定用ディスクの上に敷設され、前記防水シートの下面と前記固定用ディスクの上面が接合されている請求項１から請求項４のいずれか１項に記載の防水シート固定構造。
【請求項７】
防水下地の上に断熱材を敷設し、
天板部と前記天板部に連結された支持脚部とを有する補強材を前記断熱材に差し込むようにして前記防水下地の上に配置し、
前記断熱材と前記補強材を覆うように防水シートを敷設し、
前記防水シートの上から前記補強材と対応する位置に固定用ディスクを配置し、
固定用ビスを前記固定用ディスクの上から前記補強材の前記天板部を貫通し前記防水下地に向けて打ち込む防水シートの固定工法。
【請求項８】
防水下地の上に断熱材を敷設し、
天板部と前記天板部に連結された支持脚部とを有する補強材を前記断熱材に差し込むようにして前記下地の上に配置し、
上面に接着層を有する固定用ディスクを前記補強材の上に配置し、
前記固定用ディスクの上から固定用ビスを前記補強材の前記天板部から前記防水下地に向けて打ち込み、
前記断熱材と前記固定用ディスクを覆うように防水シートを敷設し、
前記接着層を介して前記防水シートと前記固定用ディスクを接合する防水シートの固定工法。
【発明の詳細な説明】
【技術分野】
【０００１】
本発明は断熱工法における防水シートの固定構造に関する。
【背景技術】
【０００２】
建築物の屋上、ベランダ、バルコニーの防水構造には、近年、下地の上に断熱材を敷設する断熱工法が多く採用されている。断熱工法において、断熱材の上に防水シートを固定する工法として、いわゆる機械的固定工法が用いられている。この工法は、断熱材の上から固定用ディスクを固定用ビスで下地に固定し、固定用ディスクによって防水シートを断熱材の上に固定する方法であり、接着剤を塗布する必要がある接着工法と比較して簡便であるという利点を有する。そして、固定用ディスクで防水シートを固定する方法としては、防水シートを先に断熱材の上に敷設し、その上に固定用ディスクを載せ固定用ビスを打ち込む方法や、断熱材の上に接着層を有する固定用ディスクを固定し、その上に防水シートを敷設し防水シートの上から電磁誘導加熱装置で接着層を溶融させ防水シートの裏面と固定用ディスクを接合する方法などが用いられている。
【０００３】
しかし、機械固定工法で防水施工された屋上等において防水シートが強風にさらされると、防水シートに上向き（垂直方向）の応力が作用する。そのために防水シートを固定する固定用ディスクは垂直方向の引き抜きに対抗できるように強固に固定されることが要求される。さらに風は通常、一定ではなく強弱をともなって吹くために、防水シートに対する応力も強弱を伴う振動として作用し、固定用ビスがこの振動により緩むことが懸念されている。
これに対して緩み止めを施した固定用ビスおよび固定用ディスクを組み合わせた工法が提案されている（特許文献１）。
【先行技術文献】
【特許文献】
【０００４】
【特許文献１】特開２００８−００２１２３号公報
【発明の概要】
【発明が解決しようとする課題】
【０００５】
しかしながら、強風にさらされた場合に、断熱材の上に敷設される防水シートには垂直方向の応力だけでなく、水平方向にも応力が作用する場合がある。そうすると、防水シートを固定している固定用ディスクや固定用ビスにも水平方向の応力が働くこととなる。そして、固定用ビスと防水下地との貫通部では、断熱材の厚みだけ距離があるためにより大きな力がかかることとなる。したがって、下地の上に断熱材を敷設する断熱工法においては、固定用ビスには水平方向に大きな応力が作用し固定用ビスが引き抜かれたり、固定用ビスが破断したりするおそれがある。
【０００６】
そこで、本発明は上記のような課題に鑑み、断熱工法において、防水シートに水平方向の応力が作用しても、固定用ビスが充分に固定される防水シート固定構造を提供することを目的とする。
【課題を解決するための手段】
【０００７】
本発明の上記課題を解決するためにとった手段は以下の通りである。
すなわち、補強材を防水下地の上に設け、補強材の上に配置された固定用ディスクの上から補強材を貫通して防水下地に対して固定用ビスを打つことで、固定用ディスクを補強材を介して防水下地に固定することを要旨とする。
そして、防水シートはこの固定用ディスクにより固定され、補強材は天板部とこれに連結された支持脚部とを備えるものである。
【０００８】
さらに具体的には、防水下地の上に敷設される断熱材と、断熱材に差し込まれるように防水下地の上に配置される補強材と、補強材の上に配置される固定用ディスクと、固定用ディスクの上から補強材を貫通して防水下地に打ち込まれる固定用ビスと、固定用ディスクにより断熱材の上に固定される防水シートとを備え、補強材は天板部と天板部に連結された支持脚部とを有する防水シート固定構造とするものである。
このように、補強材を用いることで、固定用ビスが補強材の天板部を貫通するために固定用ディスクに対して水平方向の応力が作用しても固定用ビスは補強材によって引き抜かれたり、固定用ビスが破断したりするのを防止でき、固定用ディスクは水平方向の応力に対して強固に固定されることとなる。
【０００９】
また、固定用ビスは補強材の天板部で水平方向の可動を規制できるように天板部を貫通している防水シート固定構造がより好ましい。これにより固定用ビスは防水下地面に対する水平方向すなわち横方向の力を受けても、固定用ビスの水平方向の可動が規制されるために、防水下地と固定用ビスの貫通部に大きな応力が作用することを防ぎ、固定用ビスの引き抜き強度が向上し、固定用ビスの破断を防止できる。
【００１０】
さらに固定用ビスが補強材の天板部で固定されている防水シート固定構造とすることができる。固定用ビスが補強材の天板部と防水下地とで固定されることで、引き抜き強度が向上する。また、補強材の天板部と防水下地で固定用ビスが固定されているので、固定用ビスが水平方向に可動するのを規制でき、より水平方向への応力に対して対抗できる。
【００１１】
また、断熱材に切り込み部が設けられこの切り込み部に補強材が差し込まれている防水シート固定構造とすることで補強材を簡単に防水下地の上に配置できるために好ましい。
【００１２】
ここで、防水シートは固定用ディスクの上側、下側のどちらに設けてもよい。防水シートが固定用ディスクの下側に設けられる場合には、防水シートが断熱材の上に敷設され、防水シートの上に固定用ディスクが配置され、固定用ビスが固定用ディスクの上から天板部に打ち込まれる防水シート固定構造となる。
【００１３】
一方、防水シートが固定ディスクの上側に設けられる場合には、防水シートが固定用ディスクの上に敷設され、防水シートの下面と固定用ディスクの上面が接合されている防水シート固定構造となる。
【００１４】
そして、防水シートが固定用ディスクの下側に設けられる場合には、防水下地の上に断熱材を敷設し、天板部と天板部に連結された支持脚部とを有する補強材を断熱材に差し込むようにして防水下地の上に配置し、断熱材と補強材を覆うように防水シートを敷設し、防水シートの上から補強材と対応する位置に固定用ディスクを配置し、固定用ビスを固定用ディスクの上から補強材の天板部を貫通し防水下地に向けて打ち込む防水シートの固定工法を用いることができる。
【００１５】
また、防水シートが固定ディスクの上側に設けられる場合の工法としては、防水下地の上に断熱材を敷設し、天板部と天板部に連結された支持脚部とを有する補強材を断熱材に差し込むようにして下地の上に配置し、上面に接着層を有する固定用ディスクを補強材の上に配置し、固定用ディスクの上から固定用ビスを補強材の天板部から防水下地に向けて打ち込み、断熱材と固定用ディスクを覆うように防水シートを敷設し、接着層を介して防水シートと固定用ディスクを接合する防水シートの固定工法を用いることができる。
【発明の効果】
【００１６】
本発明の防水シート固定構造によれば、下地の上に配置された天板部とこれに連結された支持脚部を有する補強材によって、防水シートに水平方向の応力が作用しても、固定用ビスが破断することなく充分に固定されることで固定用ディスクが強固に固定される。
【図面の簡単な説明】
【００１７】
【図１】固定用ディスクの下に防水シートを敷設する本発明の第１実施形態に係る防水シート固定構造を示す断面図である。
【図２】第１実施形態に係る補強材の斜視図である。
【図３】補強材４の変形例を示す斜視図である。
【図４】補強材４の変形例を示す斜視図である。
【図５】補強材４の変形例であって２つに分割して構成される態様を示す斜視図である。
【図６】補強材４の変形例であって２つに分割して構成される態様を示す斜視図である。
【図７】本発明の第２実施形態に係る防水シート固定構造を示す断面図である。
【図８】断熱材に切り込み部を設けた本発明の第３実施形態に係る防水シート固定構造を示す断面図である。
【図９】断熱材に設けた切り込み部の態様を示す断面図である。
【図１０】断熱材に切り込み部を設けるための治具の一例を示す斜視図である。
【図１１】固定用ディスクの上に防水シートを敷設する本発明の第４実施形態に係る防水シート固定構造を示す断面図である。
【図１２】補強材を補強材固定用ビスで固定する本発明の第５実施形態に係る防水シート固定構造を示す断面図である。
【図１３】補強材４の変形例を示す斜視図である。
【図１４】本発明の第６実施形態に係る防水シート固定構造を示す断面図である。
【図１５】従来の防水シート固定構造をしめす断面図である。
【図１６】従来の防水シート固定構造において水平方向に力が作用する状態を示す断面図である。なお、説明のために補強シート等を省略している。
【図１７】第１実施形態に係る防水シート固定構造を示す平面図。
【図１８】本発明の第７実施形態に係る防水シート固定構造を示す断面図である。
【発明を実施するための形態】
【００１８】
以下、好適実施の態様について図面を参照して詳細に説明する。
図１に第１実施形態として、固定用ディスク５の下に防水シートを敷設する防水シート固定構造について示した。これによると防水下地１の上に断熱材２が設けられ、断熱材２に差し込まれるように補強材４が防水下地１の上に配置されている。断熱材２と補強材４を覆うように防水シート３が敷設され、補強材４と対応する位置に固定用ディスク５が配置されている。固定用ビス６が固定用ディスク５、補強材４を貫通して防水下地１に固定されている。このように、固定用ディスク５によって防水シート３が固定されているシート防水構造を構成している。本実施形態においては、さらに固定用ディスク５を上から覆うように補強用シート７を接合し、補強用シート７の端部と防水シート３をシーラー８で防水処理している。また本実施形態における防水下地としては折板金属下地が用いられている。
【００１９】
以下まず、第１実施形態で用いられた図２に示した補強材４ａについて説明する。
補強材４ａは、図２に示したように板状の天板部４１を２本の支持脚部４２で支持した略逆Ｕ字型の形状となっている。そして、補強材４ａは防水下地１の上に配置され、その天板部４１に対応する位置に固定用ディスク５が配置され固定用ビス６で天板部４１を貫通して固定用ディスク５が止め付けられる。
【００２０】
ここで、台風などの強風が吹く場合には、図１６のように屋上に施工されたシート防水構造には水平方向の応力が働くことがある。このように、防水シートに水平方向の応力が加わると固定用ディスク５や固定用ビス６にも水平方向の応力Ｆ１が作用することとなる。そして、固定用ディスク５は断熱材２の上に配置され、固定用ビス６は断熱材の下にある防水下地１に止め付けられているので、固定用ディスク５や固定用ビス６に水平方向の応力Ｆ１が加わると、断熱材２の厚みｈだけ固定用ビス６と防水下地１との固定部１０１にはより大きな応力が作用することなる。そのため図１５に示したような補強材４を用いない従来技術にかかるシート防水構造では、固定用ビス６の固定強度が充分ではない場合や固定用ビス６が破断するおそれがある。
【００２１】
それに対し、補強材４を使用した第１実施形態では、固定用ビス６は補強材４の天板部４１と防水下地１の２か所で固定される。さらに天板部４１では防水下地１からほぼ断熱材２の厚みｈだけ上方の位置において固定用ディスクを固定している。このような構成を用いることで、より確実に固定用ビス６が水平方向に可動するのを規制することができる。これによって、水平方向の応力が防水下地１との固定部１０１に大きく作用することを防止できるために、固定用ディスク５は水平方向の応力に対しても充分な固定強度が得られるとともに、固定用ビス６が破断するのを防止できる。
【００２２】
さらに、断熱材２は固定用ディスク５の固定に際し固定用ビス６の締め付け力を直接受けることがない。ここで、図１５のように補強材４を用いない従来の固定構造の場合は、固定用ディスク５を固定用ビス６で強く止め付けると断熱材２が沈み込むことで固定用ディスク５が凹状に変形し固定強度が低下する。しかし、補強材４を用いる場合には断熱材２が沈み込むことはなく、固定用ディスク５が防水下地に対して強固に固定されるという効果も得られる。
【００２３】
ここで補強材４は防水下地１の上に配置され、天板部４１とこの天板部４１に連結された支持脚部４２を備えていればよい。また、補強材４の形状は立方体、長方体、円柱形、錐台などの形状を採用することができ、それに応じて天板部４１は正方形、長方形、円形、楕円形、多角形、不定形など任意に選択することができる。
【００２４】
ここで、天板部４１は防水シートに覆われ、固定用ディスク５を載せ、固定用ビス６が貫通されるような形態であればよいが、略平坦であることが好ましい態様である。また支持脚部４２は天板部４１を支持する足の役割を担うため、天板部４１に対してその周囲を完全に囲むように閉じた支持脚部４２を設けることを要しない。すなわち、天板部４１を支持し、補強材４が自立するように支持脚部４２を設けることができる。したがって第１実施形態で用いた補強材４ａのように天板部４１が四角形の場合に２本の支持脚部４２を有し、その一の支持脚部４２と他の支持脚部４２が対向するように設けることが安定的に自立し、固定用ビスを止め付ける際により安定してこれを支持できる点から好ましい。
【００２５】
このような補強材４の変形例を図３、図４に示した。補強材４ｂのように天板部４２が略十字型であって４本の支持脚部４２で支持されている形態や、補強材４ｃのように円形の天板部４１に４本の支持脚部４２が連結された形態等を使用することができる。さらに、補強材４ｄ、４ｅのように天板部４１が略Ｌ字型や略コの字型の支持脚部４２で支持された変形例を用いてもよい。
【００２６】
また天板部４１の外周に沿って閉じた支持脚部４２とすることもできる。具体的には、天板部４１が四角形である場合には、図４に示した補強材４ｆのような直方体とし、その四角形の外周に沿って４辺に対応する支持脚部４２を設けることもできる。また、補強材４ｇのように天板部４１が円形の場合にはその円周に対応した閉じた支持脚部４２とすることができ、この場合の補強材４ｇは円柱形状となる。
【００２７】
また、補強材４の天板部４１には、補強材４ｈのようにビス穴４３を設けることができる。このビス穴４３には固定用ビス６が差し込まれる。ビス穴４３の径は固定用ビス６の径より小さくすることで、固定用ビス６が打ち込まれる際に天板部４１での抵抗が少なくなり作業性が向上するとともに、固定用ビス６が天板部４１で固定される効果も得られる。
【００２８】
補強材４にはさらに底部４４を設けてもよい。このような変形例として、図４の補強材４ｉのように補強材４ａに底部４４を設けた形態が使用できる。そして、底部４４にもビス穴４３を設けてもよい。
【００２９】
また、補強材４は固定用ビス６の水平方向の可動を規制するように構成されていることが好ましい。これによって、固定用ビス６に水平方向の応力が作用しても固定用ビス６の動きが規制され、固定用ビス６と防水下地１との固定部に大きな力が作用するのを防ぐことができ、固定用ビス６が破断するのを防止できる。
ここで、固定用ビス６の水平方向の可動を制限するには、固定用ビス６が天板部４２において固定されていることが好ましい。したがって、天板部４３にはビス穴４３を設けないで固定用ビス６を天板部４２を貫通させるか、または固定用ビス６の径よりも小さいビス穴４３を設けるなどして天板部４３で固定用ビス６のネジ山が有効に効くようにすることが好ましい
【００３０】
ここで、補強材４は断熱材２の上から押し込める形態が好ましい。このような例としては、底面を有しない形状や側面が閉じていない形状が挙げられる。側面が閉じているが底面を有しない形状としては補強材４ｆや円柱形の補強材４ｇを用いることができる。また、側面を閉じていない形状としてしては、補強材４ａ〜４ｅ、４ｈ等を用いることができる。このような形状であれば、断熱材２の上から補強材４を押し込める際に、断熱材からの抵抗を受けにくく比較的容易に押し込めるので好ましい。さらに水平応力が作用した際の固定力を確保しつつ、支持脚部４２の占める面積が小さく、また支持脚部４２が棒状とすることでより押し込みやすくなる。
【００３１】
さらに、補強材４の支持脚部４２は断熱材２に押し込みやすくするために、挿入端部が形成されていることが好ましい。挿入端部は支持脚部の端部を鋭角やのこぎりの刃状に形成するなどして設けられる。より具体的に補強材４ａの支持脚部４２の先端を鋭角に削った形状や、補強材４ｇの円柱形の側面に相当する支持脚部４２の先端を刃状に加工すること等とすることができる。
【００３２】
ここで、補強材４は断熱材２に差し込まれるように配置されるため、断熱効率を低下させないとの点から補強材自体が断熱性能を有していることが好ましい。したがって、補強材４の内側すなわち天板部４１と支持脚部４２で囲まれる内側に断熱材と同質の部材を充填することが好ましい態様である。
【００３３】
また補強材４は、金属製、硬質合成樹脂製、木製等が用いられる。強度や耐久性の点から金属製がこのましい。金属製の固定用ディスクを構成する鋼鈑の材質としては、ステンレス板や、亜鉛・アルミニウム・マグネシウムメッキまたは亜鉛メッキ等の防錆処理が施された鋼板など、多湿状態でも錆びにくい鋼鈑が好適に使用される。厚みとしては、０．５〜５ｍｍ程度が好ましい。
そして、天板部４１、支持脚部４２、底部４４は同一の素材、同一厚みで構成されることは要せず、それぞれを別の素材、異なった厚みで構成してもよい。
【００３４】
補強材４の天板部４１の１辺の長さ（天板部４１が円形の場合は直径）は３０ｍｍ〜２００ｍｍ程度のものが好ましく、５０ｍｍ〜１８０ｍｍがより好ましく、６０ｍｍ〜１５０ｍｍがさらにこのましい。また支持脚部４２の長さ、すなわち補強材４の高さは使用される断熱材２の厚さに応じて設定することができ、１０ｍｍ〜１００ｍｍ程度とすることができる。そして底部４４も天板部４１と同様に構成することができる。
【００３５】
防水シート３は熱可塑性樹脂製防水シートが好ましく、塩化ビニル系樹脂、ポリオレフィン系、アクリル系等を使用することができる。熱可塑性樹脂製防水シートを熱溶融着、溶剤溶着により接合し、また後述する補強用シートで補強し得るという点から塩化ビニル系樹脂製防水シートがより好ましい。
【００３６】
熱可塑性樹脂製防水シートは単層でも良いが、寸法安定性、引張強度に優れるという点からガラスクロス、不織布等の基材層を積層した複層品が好ましい。基材層は最下層に設けても良いが熱可塑性樹脂層の中間に設けても良い。また熱可塑性樹脂層は一層であっても、複数の層であってもよく、それぞれの層の組成を異なるものとしてもよい。
【００３７】
断熱材は、ポリスチレンフォーム、硬質ウレタンフォーム、フェノールフォーム、ポリエチレン、ポリプロピレン等のポリオレフィンフォーム等が使用でき、強度を考慮するとクラフト紙やアルミ箔が両面に積層された断熱材が好ましい。また、勾配をとる必要がある場合には、勾配のある断熱ボードを使用することができる。
【００３８】
固定用ディスク５は防水シート３を固定できるものであればよく、金属製、硬質合成樹脂製、木製等が用いられる。強度や耐久性の点から金属製がこのましい。金属製の固定用ディスクを構成する鋼鈑の材質としては、ステンレス板や、亜鉛・アルミニウム・マグネシウムメッキまたは亜鉛メッキ等の防錆処理が施された鋼板など、多湿状態でも錆びにくい鋼鈑が好適に使用される。厚みとしては、０．６〜１．５ｍｍ程度で、形状は正方形または長方形をした矩形状のプレート状や、円形または楕円形状のディスク状、長尺状など任意であり、大きさは１辺または外径が５０〜１００ｍｍ程度に形成することができる。
【００３９】
また、その固定用ディスク５の少なくとも上面に熱可塑性樹脂被覆層を積層一体化した構成が好ましい。これにより防水シート３や補強用シート７との熱融着、溶剤溶着による接合が容易となる。ここで熱可塑性樹脂被覆層は、塩化ビニル系樹脂、ポリオレフィン系、アクリル系等を使用することができる。また接合強度を考慮すると、防水シート３、補強用シート７とこの熱可塑性樹脂被覆層の材質は同種のものを用いるのが好ましく、防水シート等が塩化ビニル系樹脂製である場合には、熱可塑性樹脂被覆層も塩化ビニル系樹脂からなることが好ましい。
なお本明細書では、固定用ディスクの上面とは下地、断熱材に対して上側の面である。
【００４０】
また、後述する固定用ディスク５の上に防水シート３を敷設する場合において、固定用ディスク５の上面に設けられる接着層は接着剤を塗布することや、熱可塑性樹脂層を積層する等して設けることができる。そして、接着層と防水シート３との接着は圧着や熱による融着や溶剤による溶着等によって行われる。また電磁誘導加熱を行う場合において固定用ディスク５の接着層は、加熱より溶融するホットメルト接着剤や熱可塑性樹脂等である熱溶融着層とすることが好ましい。ホットメルト接着剤としては、ポリエステル系、ポリアミド系、エチレン−酢酸ビニル共重合体系のホットメルト接着剤等が挙げられる。
【００４１】
固定用ビス６は、少なくとも固定用ディスク５と補強材４を固定するに足る長さが必要であり、補強材４を貫通して防水下地１に達するような長さのものを用いる。
材質としては、炭素鋼、合金鋼、ステンレス鋼等の鋼材などが使用できる。また、固定用ディスク５等の上面から頭部がはみ出ないように、固定用ビス６のビス頭の形状は皿、平、なべがよく、ドライバーやレンチで掛ける座面の窪み形状は十字穴、六角穴、四角穴が好ましい。
【００４２】
防水下地１は、コンクリート、ＡＬＣ、折板屋根、瓦棒屋根、デッキプレート等の金属下地等を使用することができる。
【００４３】
つぎにこれらの実施形態の施工方法について以下に図１を用いて説明する。
第１実施形態においては、防水下地１の上に断熱材２を敷設し、防水下地１である折板の凸状部に対応する位置の断熱材２に、ホールソー等を用いて補強材４を挿入できる下穴を形成する。そして、補強材４を下穴に挿入し、その上からポリ塩化ビニル製の防水シート３を敷設する。次に補強材４と対応する位置に防水シート３の上から熱可塑性樹脂被覆層が積層一体化された固定用ディスク５を配置し、固定用ビス６を補強材４の天板部４１、防水下地１を貫通して打ち込み、固定用ディスク５を固定する。さらに、固定用ディスク５を覆うように補強用シート７をかぶせ、固定用ディスク５の上面および防水シート３と熱溶着を行う。なお、本実施態様においては、補強用シート７はポリ塩化ビニル製であり、固定用ディスクの上面の熱可塑性樹脂被覆層にはポリ塩化ビニル層が用いられている。そして、補強用シート７の周囲をシーラー８で防水処理を施した。
【００４４】
図１７には図１に示す第１実施形態に係る平面図を示した。このように断熱材２の上に防水シート３が敷設され、その防水シート３の上に固定用ディスク５が所定の間隔で配置され、固定用ビス６によって止め付けられその上から補強用シート７が溶剤溶着または熱融着されている。固定用ディスクの間隔すなわち固定ピッチは図１７のように縦、横ともに等間隔とすることができるが、その固定ピッチは任意である。また、その固定部位に応じて固定ピッチを変えてもよく、例えば防水すべき面の端縁部では固定ピッチを小さくしそれ以外の部分ではそれより大きくすることもできる。そして、第１実施形態においては、防水下地１の凸部１０２に固定用ディスク５を配置するために、固定ピッチは防水下地１の凸部１０２のピッチに対応して設定されている。
【００４５】
別の実施形態として、図５に示した補強材４ｊを用いる第２実施形態について図７に示した。以下、同一の部材には同一の符号を付し、詳細な説明は省略した。
第２実施形態の補強材４ｊは２つに分割して構成されている。より詳しくは、天板部４１に２本の支持脚部４２ａが略Ｌ字型に連結された第１部分４ｊ（１）と２本の支持脚部４２ｂが略Ｌ字型に連結された第２部分４ｊ（２）とからなり、第１部分４ｊ（１）と第２部分４ｊ（２）とを略四角形となるように組み合わせて補強材４ｊが構成されている。
【００４６】
第２実施形態において、防水下地１の上に断熱材２が設けられ、断熱材２に差し込まれるように第１部分４ｊ（１）と第２部分４ｊ（２）とを組み合わせて構成された補強材４ｊが防水下地１の上に配置されている。断熱材２と補強材４ｊを覆うように防水シート３が敷設され、補強材４と対応する位置に固定用ディスク５が配置されている。固定用ビス６が固定用ディスク５、補強材４ｊを貫通して防水下地１に固定されている。このように、固定用ディスク５によって防水シート３が固定されているシート防水構造を構成している。さらに固定用ディスク５を上から覆うように補強用シート７を接合し、補強用シート７の端部と防水シート３をシーラー８で防水処理している。
【００４７】
次に第２実施形態における施工方法について説明する。防水下地１の上に断熱材２を敷設し、防水下地１である折板の凸状部に対応する位置の断熱材２に、補強材４ｊの第２部分４ｊ（２）を断熱材の上から押し込み防水下地１の上に配置する。そして、第２部分４ｊ（２）の支持脚部４２ｂの上に天板部４１が支持されるように、第１部分４ｊ（１）を断熱材２の上から押し込む。このようにして天板部４１が支持脚部４２ａと支持脚部４２ｂとで支持された状態で防水下地１の上に配置される。その上からポリ塩化ビニル製の防水シート３を敷設する。次に補強材４と対応する位置に防水シート３の上から熱可塑性樹脂被覆層が積層一体化された固定用ディスク５を配置し、固定用ビス６を補強材４の天板部４１、防水下地１を貫通して打ち込み、固定用ディスク５を固定する。さらに、固定用ディスク５を覆うように補強用シート７をかぶせ、固定用ディスク５の上面および防水シート３と熱溶着を行う。なお、本実施態様においては、補強用シート７はポリ塩化ビニル製であり、固定用ディスクの上面の熱可塑性樹脂被覆層にはポリ塩化ビニル層が用いられている。そして、補強用シート７の周囲をシーラー８で防水処理を施した。
【００４８】
第２実施形態のように補強材４を分割して構成することで、補強材４を断熱材２の上から押し込みやすくなる。よって、断熱材の敷設前に補強材を配置し、それにあわせて断熱材を切断しながら補強材の周囲に断熱材を敷きこむといった煩雑な施工作業を行う必要がなく、効率的に施工を行うことができる。
【００４９】
第２実施形態で使用されるような分割して構成された補強材４の変形例を図６に示した。これによると２つの部分を略十字に組み合わせて補強材４ｋを構成するような形態や、天板部４２に３本の支持脚部４２が略コの字型に連結された部分を２つ組み合わせた補強材４Ｌのような形態等を用いることができる。また、補強材４ｋ、４Ｌのように天板部４１が二重になるように組み合わせた補強材４としてもよい。天板部４１を二重とすることで天板部４１において固定用ビス６の固定がより強固となり好ましい。さらに、２つ以上に分割してもよいし、分割した部分が嵌合されるような嵌合部を設けてもよい。
【００５０】
このように、補強材４は断熱材２の敷設後に断熱材２の上から防止下地１の上に配置されることが好ましい。そこで、図８に示した第３実施形態のように断熱材２に切り込み部２１を設けることで補強材４を簡単に断熱材２に押し込むことができるためにより好ましい態様である。より詳しくは、図８（８−１）のように断熱材２には補強材４ａを断熱材２の上から押し込むための切り込み部２１が設けられ、補強材４ａがこの切り込み部２１に押し込まれていている。本実施形態は図８（８−２）に示すように、断熱材２と補強材４を覆うように防水シート３が敷設され、補強材４と対応する位置に固定用ディスク５が配置されている。また、固定用ビス６が固定用ディスク５、補強材４ａを貫通して防水下地１に固定されている。このように、固定用ディスク５によって防水シート３が固定されているシート防水構造を構成している。さらに固定用ディスク５を上から覆うように補強用シート７を接合し、補強用シート７の端部と防水シート３をシーラー８で防水処理している。
【００５１】
切り込み部２１の形状は補強材４の形状に対応して設けることができる。第３実施形態においては、図８（８−１）のように図２の補強材４ａを用いるために支持脚部４２の間隔に対応した２本の切り込み部が設けられている。切り込み部は図９（９−２）のように補強材４が押し込めるように支持脚部４２に合わせてくり抜かれた形態でもよいし、図９（９−１）ように単に切り込みを設けた形態でもよい。くり抜かれた形態であれば補強材４をより簡単に押し込むことができるために好ましい。また切り込みを設けた形態であれば、くり抜くことで発生する断熱材片が発生せずに補強材４を押し込むことが可能となる。このように切り込み部２１とはくり抜かれた形態や切り込みを入れた形態を含み、補強材４を断熱材２の上から押し込みやすくする構成を指すものである。
【００５２】
したがって、切り込み部２１の形状は補強材４の支持脚部４２に対応すればよく、補強材４ａや補強材４ｆであれば切り込み部２１は平面視において四角形をなし、補強材４ｇであれば円形であればよい。また補強材４ｃの場合は４本の４つの切り込み部を設ければよい。また、補強材４ｆ、４ｇにおいては、切り込み部２１は直方体や円柱形にくり抜かれてもよい。
【００５３】
次に第３実施形態における施工方法について説明する。防水下地１の上に断熱材２を敷設し、防水下地１である折板の凸状部に対応する位置の断熱材２に、補強材４ａの支持脚部４２が押し込めるような切り込み部２１を設けた。具体的には、図１０（１０−１）に示すような治具を用い、治具を断熱材２に押しつけ充分深くまで押し込んでから、この治具を引き抜くことで切り込み部２１を設けた。そして補強材４の支持脚部４２を切り込み部２１を断熱材２の上から押し込むようにして補強材４を防水下地１の上に配置する。つぎに、その上からポリ塩化ビニル製の防水シート３を敷設する。そして、補強材４と対応する位置に防水シート３の上から熱可塑性樹脂被覆層が積層一体化された固定用ディスク５を配置し、固定用ビス６を補強材４の天板部４１、底部４４、防水下地１を貫通して打ち込み、固定用ディスク５を固定する。さらに、固定用ディスク５を覆うように補強用シート７をかぶせ、固定用ディスク５の上面および防水シート３と熱溶着を行う。なお、本実施態様においては、補強用シート７はポリ塩化ビニル製であり、固定用ディスクの上面の熱可塑性樹脂被覆層にはポリ塩化ビニル層が用いられている。そして、補強用シート７の周囲をシーラー８で防水処理を施した。
【００５４】
切り込み部２１を設けるにはカッターナイフやホールソー等の既存工具を用いることができる。また第３実施形態のように切り込み部２１を設けるための治具を用いてもよい。第３実施形態にかかる治具においては、補強材４の略同一の形状であって、支持脚部４２に対応する部分の先端は鋭角に形成され、治具の板厚は補強材４の板厚より厚く形成されている。そして、第３実施形態にかかる治具は支持脚部４２の形状に断熱材に切り込みを入れることで切り込み部２１を形成させるものである。
また、切り込み部２１が円形であれば、図１０（１０−２）のように円柱形の治具の先端にのこぎり状の刃を設けた形態とすることができる。このような治具を用いることで、断熱材２の上から図１０（１０−２）に示した治具を回しながら押し入れていくと、円形の切り込み部を簡単に設けることができ、この場合には円柱形のくり抜かれた切り込み部が形成される。
【００５５】
また別の実施形態として、防水シート３は固定ディスクの上側に敷設することもできる。
そこで防水シート３を固定ディスクの上側に敷設する第４実施形態について図１１を用いて説明する。防水下地１の上に断熱材２に差し込まれるようにして補強材４が配置されている。そして、補強材４の上に固定用ディスク５を配置し、その上から固定用ビス６が打ち込まれ固定用ディスク５が補強材４の上に固定されている。そして、固定用ディスク５の上面には接着層（図示なし）が設けられており、この固定用ディスクの上に防水シート３が敷設されている。さらに、固定用ディスク５の接着層と防水シート３の裏面が接合されることで、防水シート３が固定用ディスク５によって断熱材２の上に固定される。そして、第２実施形態において、固定用ディスク５と防水シート３の接合は電磁誘導加熱装置１０による融着により行われている。このような電磁誘導加熱による融着を行うことで簡単に防水シート３と固定用ディスク５との接合を行うことができる。
【００５６】
第４実施形態においては、防水下地１の上に断熱材２を敷設し、防水下地１である折板の凸状部に対応する位置の断熱材２に、ホールソーを用いて補強材４が挿入できる下穴を形成する。そして、補強材４を下穴に挿入し、上面に接着層を設けた固定用ディスク５を補強材４の天板部４１に載せ、固定用ビス６を補強材４の天板部４１、防水下地１を貫通して打ち込み、固定用ディスク５を固定する。そして、その上からポリ塩化ビニル製の防水シート３を敷設し、固定用ディスク５と対応する位置に電磁誘導加熱装置１０を載せて、加熱することで固定用ディスク５と防水シート３を接合する。なお、本実施形態において固定用ディスク５の接着層はポリ塩化ビニル層が用いられている。
【００５７】
また、補強材４は固定用ビス５とは別に補強材固定用ビス９で防水下地１に止め付けることができ、このような第５実施形態を図１２に示した。
これによると、防水下地１の上に断熱材２が設けられ、断熱材２に差し込まれるように補強材４ｍが防水下地１の上に配置されている。そして、補強材固定用ビス９が補強材４ｍの天板部４２を貫通して防水下地１に止め付けられている。断熱材２と補強材４ｍを覆うように防水シート３が敷設され、補強材４と対応する位置に固定用ディスク５が配置されている。固定用ビス６が固定用ディスク５、補強材４ｍを貫通して防水下地１に固定されている。このように、固定用ディスク５によって防水シート３が固定されているシート防水構造を構成している。さらに固定用ディスク５を上から覆うように補強用シート７を接合し、補強用シート７の端部と防水シート３をシーラー８で防水処理している。
このように補強材４が補強材固定用ビス９防水下地１に固定されているために、固定用ビス６は水平方向の応力に対してより強固の固定されることとなる。
【００５８】
第５実施形態において用いた補強材４ｍを図１３に示したが、補強材４ｍの天板部４１には補強材固定用ビス９を貫通させるビス穴４５が設けられビス穴の周囲は補強材固定用ビス９のビス頭が収まるような座繰りが設けられている。
【００５９】
次に第５実施形態における施工方法について説明する。防水下地１の上に断熱材２を敷設し、防水下地１である折板の凸状部に対応する位置の断熱材２に、切り込み部２１（図示せず）をもうけ補強材４ｍを押し込んで防水下地１の上に配置する。そして、補強材４ｍの天板部４１に設けられたビス穴４５に補強材固定用ビス９を挿入しインパクトドライバで補強用固定用ビス９を防水下地１に打ち込み固定する。その上からポリ塩化ビニル製の防水シート３を敷設する。次に補強材４と対応する位置に防水シート３の上から熱可塑性樹脂被覆層が積層一体化された固定用ディスク５を配置し、固定用ビス６を補強材４の天板部４１、防水下地１を貫通して打ち込み、固定用ディスク５を固定する。さらに、固定用ディスク５を覆うように補強用シート７をかぶせ、固定用ディスク５の上面および防水シート３と熱溶着を行う。なお、本実施態様においては、補強用シート７はポリ塩化ビニル製であり、固定用ディスクの上面の熱可塑性樹脂被覆層にはポリ塩化ビニル層が用いられている。そして、補強用シート７の周囲をシーラー８で防水処理を施した。
【００６０】
さらに、補強材４の下部と防水下地１の間に粘着層１１を使用する第６実施形態を図１４に示した。ここで、同一の部材には同一の符号を付し詳細な説明は省略した。
これによると、防水下地１の上に断熱材２を敷設し、断熱材２に差し込まれるように補強材４に配置されている。そして、補強材４の下部と防水下地１との間に粘着層１１が配置されている。補強材４および断熱材２の上に防水シート３を敷設し、補強材４の対応する位置に固定用ディスク５を載せられ、固定用ビス６で補強材４を貫通して防水下地１に固定されている。さらに断熱材２の上には防水シート３が敷設され、固定用ディスク５によって防水シート３が固定されている。さらに固定用ディスクを上から覆うように補強用シート７を接合し、補強用シート７の端部と防水シート３をシーラー８で防水処理されている。
【００６１】
このように、補強材４の下部と防水下地１の間に粘着層１１を使用することで、補強材４が防水下地１により強固に固定されるために好ましい。ここで、粘着層としては、接着剤、粘着テープ、定形シーラー、不定形シーラー等を用いることができる。粘着力にすぐれ、施工しやすいとの点からブチルテープなどの定形シーラーが好ましく用いられる。第３実施形態においてはブチルテープが用いられている。
【００６２】
第６実施形態における施工方法は以下のようにして行われる。防水下地１の上に断熱材２を敷設し、防水下地１である折板の凸状部に対応する位置の断熱材２に、ホールソーを用いて補強材４が挿入できる下穴を形成する。補強材４の下部に粘着層１１であるブチルテープを貼り付けておく。そして、粘着層１１が貼り付けられた補強材４を下穴に挿入し、その上からポリ塩化ビニル製の防水シート３を敷設する。次に補強材４と対応する位置に防水シート３の上から固定用ディスク５を配置し、固定用ビス６を補強材４の天板部４１、防水下地１を貫通して打ち込み、固定用ディスク５を固定する。さらに、固定用ディスク５を覆うように補強用シート７をかぶせ、固定用ディスク５の上面および防水シート３と熱溶着をおこなう。なお、本実施態様においては、補強用シート７はポリ塩化ビニル製であり、固定用ディスクの上面にはポリ塩化ビニル層が被覆されている。そして、補強用シート７の周囲をシーラー８で防水処理を施した。
【００６３】
このように、粘着層１１としてブチルテープを使用し、補強材４に貼り付けて施工することで、簡単に防水下地１と補強材４の間に粘着層１１を設けることができる。そして粘着層１１によって、補強材４は防水下地１に強固に固定される。
【００６４】
また、防水下地１としてコンクリート下地を用いた第７実施形態を図１８に示した。これによると、固定用ディスク５の下に防水シートを敷設する防水シート固定構造について示した。これによると防水下地１の上に断熱材２が設けられ、断熱材２に差し込まれるように図＊の補強材４が防水下地１の上に配置されている。断熱材２と補強材４を覆うように防水シート３が敷設され、補強材４と対応する位置に固定用ディスク５が配置されている。固定用ビス６が固定用ディスク５、補強材４を貫通して防水下地１に固定されている。このように、固定用ディスク５によって防水シート３が固定されているシート防水構造を構成している。本実施形態においては、さらに固定用ディスク５を上から覆うように補強用シート７を接合し、補強用シート７の端部と防水シート３をシーラー８で防水処理している。
【００６５】
また、これらの全ての実施態様において固定用ディスク５が補強材４を介して下地の上に固定されるのであれば、緩衝用シート、防水性を向上させる増し張りシート等の部材を使用することができる。
【符号の説明】
【００６６】
１      防水下地
２      断熱材
２１    切り込み部
３      防水シート
４      補強材
４１    天板部
４２    支持脚部
５      固定用ディスク
６      固定用ビス
７      補強用シート
８      シーラー
９      補強材固定用ビス
１０    電誘導加熱装置
１１    粘着層
【図１】
2014001529.tif 000003
【図２】
2014001529.tif 000004
【図３】
2014001529.tif 000005
【図４】
2014001529.tif 000006
【図５】
2014001529.tif 000007
【図６】
2014001529.tif 000008
【図７】
2014001529.tif 000009
【図８】
2014001529.tif 000010
【図９】
2014001529.tif 000011
【図１０】
2014001529.tif 000012
【図１１】
2014001529.tif 000013
【図１２】
2014001529.tif 000014
【図１３】
2014001529.tif 000015
【図１４】
2014001529.tif 000016
【図１５】
2014001529.tif 000017
【図１６】
2014001529.tif 000018
【図１７】
2014001529.tif 000019
【図１８】
2014001529.tif 000020